(57)【要約】【課題】１つの操作部で、脱着部品の撮影装置への固定状態と、カメラモジュールの撮影モードと、を切り替えることができる撮影装置を提供する。【解決手段】撮影モードを切り替えられるカメラモジュール２と、カメラモジュール２に対して所定の位置に移動されることによって撮影モードを切り替える切り替え部材８と、撮影装置に脱着可能に設けられ、かつ所定の位置に移動された切り替え部材８と係合可能に設けられた脱着部品５と、を備える撮影装置にかかる。切り替え部材８は、所定の位置から所定の位置とは異なる位置へ移動可能に設けられており、切り替え部８が所定の位置とは異なるある場合に脱着部材５との係合が解除されるように形成されている。【選択図】図２
2012078549.tif 000002
【特許請求の範囲】
【請求項１】
撮影装置であって、
撮影モードを切り替えられるカメラモジュールと、
前記カメラモジュールに対して所定の位置に移動されることによって前記撮影モードを切り替える切り替え部材と、
撮影装置に脱着可能に設けられ、かつ前記所定の位置に移動された前記切り替え部材と係合可能に設けられた脱着部品と、を備え、
前記切り替え部材は、前記所定の位置から前記所定の位置とは異なる位置へ移動可能に設けられており、前記切り替え部材が前記所定の位置とは異なる位置にある場合に前記脱着部品との係合が解除されるように形成されている、撮影装置。
【請求項２】
前記切り替え部材に結合されて前記切り替え部材に連動して移動する操作レバーであって、撮影装置の筐体の内部から外側に向かって突出する操作レバーと、
前記操作レバーが挿通され、前記筐体の前記操作レバーの可動範囲に設けられた開口部と、をさらに備え、
前記切り替え部材が、所定の円の周上に沿って形成された円弧形状を有し、かつ前記所定の円の周上に沿って移動可能に設けられており
前記脱着部品が、前記所定の円の周上において前記切り替え部材と係合される、請求項１に記載の撮影装置。
【請求項３】
円形形状を有し、撮影装置から露出して設けられたカメラレンズを備え、
前記所定の円の中心が、前記カメラレンズの中心と一致している、請求項２に記載の撮影装置。
【請求項４】
請求項１ないし３のいずれか１項に記載の撮影装置を備える、携帯端末機器。
【発明の詳細な説明】
【技術分野】
【０００１】
本発明は、撮影装置、および撮影機能を備えた携帯端末機器に関する。特に、撮影モードを切り替えることができる撮影装置および携帯端末機器に関する。
【背景技術】
【０００２】
従来、被写体にあわせてカメラモジュールの撮影モードの設定を切り替えられる撮影装置が知られている。撮影モードの例としては、被写体が風景や人物等でありカメラモジュールのカメラレンズを被写体から比較的離した状態で撮影する風景モードや、被写体が植物や小物等でありカメラレンズを被写体に比較的近づけた状態で撮影する接写モード等がある。
【０００３】
さらに、カメラモジュールを備えて撮影装置としても使用可能な携帯端末機器が普及しており、このような携帯端末機器においてもカメラモジュールの撮影モードを切り替えることができるようになっている。
【０００４】
撮影モードを切り替えられるカメラモジュールを備える撮影装置や携帯端末機器には、撮影モードを切り替える操作部が設けられており、該操作部を操作することによってユーザーは容易に撮影モードを切り替えることができる。
【０００５】
また近年では、撮影モード以外の設定を切り替えるための操作部が撮影装置や携帯端末機器に設けられていることがある。例えば、カメラモジュールのカメラレンズを覆うレンズカバーが設けられた携帯端末機器において、該レンズカバーの位置を切り替える操作部がある。携帯端末機器を撮影装置として使用しないときはカメラレンズを覆う位置にレンズカバーを設定してカメラレンズの損傷を抑制することができる。
【０００６】
しかしながら、複数の操作部を撮影装置や携帯端末機器に設ける場合、撮影装置や携帯端末機器を構成する部品点数が増えてコストアップする虞がある。また、複数の操作部を設けるためのスペースを必要とするため撮影装置や携帯端末機器の大型化を招く。
【０００７】
さらに、撮影モードやレンズカバーの位置を切り替えるための操作部は、操作性を考慮して撮影装置や携帯端末機器の筐体から突出するように設けられることが多い。そのため、撮影装置や携帯端末機器に設けられる操作部の増加に伴って撮影装置や携帯端末機器の筐体から突出する部分が増加し、撮影装置や携帯端末機器の外観品位が低下する虞がある。
【０００８】
そこで、特許文献１では、１つの操作部でカメラモジュールの撮影モードとレンズカバーの位置とを切り替えることができる撮影装置および携帯端末機器が開示されている。図５は特許文献１で開示されている携帯端末機器の斜視図である。
【０００９】
図５に示すように、特許文献１で開示されている携帯端末機器１は、撮影モードを切り替えられるカメラモジュール２と、スライド移動可能に設けられたレンズカバー３と、を備えている。レンズカバー３は、カメラモジュール２に対して３箇所に移動可能に設けられている。また、レンズカバー３がカメラモジュール２の撮影モードとレンズカバー３の位置とを切り替える操作部となっている。
【００１０】
特許文献１で開示されている携帯端末機器１では、第一の位置Ｐ１にレンズカバー３が位置している場合、レンズカバー３はカメラモジュール２のカメラレンズ４を覆う。第二の位置Ｐ２にレンズカバー３が位置している場合では、カメラレンズ４が露出しており、カメラモジュール２の撮影モードが第一モード（例えば風景モード）に設定されている。第三の位置Ｐ３にレンズカバー３が位置している場合には、カメラレンズ４が露出しており、かつ撮影モードが第二モード（例えば接写モード）に設定されている。
【００１１】
特許文献１で開示されている携帯端末機器１のように、１つの操作部でカメラモジュール２の撮影モードとレンズカバー３の位置を設定することによって、携帯端末機器１を構成する部品点数を減らすことができる。その結果、撮影装置や携帯端末機器のコストアップや大型化を防ぐことができる。また。撮影装置や携帯端末機器の筐体から突出する操作部の数も減り、撮影装置や携帯端末機器の外観品位の低下を抑制することができる。
【先行技術文献】
【特許文献】
【００１２】
【特許文献１】特開２００９−６０２６９号公報
【発明の概要】
【発明が解決しようとする課題】
【００１３】
撮影装置としても使用可能な携帯端末機器では、撮影するときの携帯端末機器の持ち方と、撮影したデータの保存や加工を行うときの携帯端末機器の持ち方と、が異なることが多い。すなわち、ユーザーが携帯端末機器を持ち替える機会が増える。そのため、ユーザーが携帯端末機器を落とす頻度が増加していた。その結果、落下時の衝撃により携帯端末機器に脱着可能に設けられた電池蓋や電池が外れ、携帯端末機器のデータが消失する虞があった。
【００１４】
そこで、携帯端末機器に脱着可能に設けられた電池蓋や電池等の脱着部品を、携帯端末機器に固定した状態と、該固定を解除した状態と、を切り替えることができる携帯端末機器が提案されている。脱着部品を携帯端末機器に固定することによって、携帯端末機器の落下時の衝撃による脱着部品の取り外れを抑制することができる。また、脱着部品の携帯端末機器への固定を解除することによって、ユーザーが望むときに脱着部品を容易に取り外すことができる。
【００１５】
しかしながら、特許文献１では、電池蓋や電池蓋等の脱着部品を携帯端末機器１へ固定した状態と、該固定を解除した状態と、を切り替える構造は開示されていない。また、脱着部品の携帯端末機器１への固定と解除の状態（以下、固定状態と称す）を切り替える操作部を特許文献１の携帯端末機器１に追加すると、携帯端末機器１のコストアップや大型化、外観品位を招く。
【００１６】
そこで、本発明は、１つの操作部で、脱着部品の撮影装置への固定状態と、カメラモジュールの撮影モードと、を切り替えることができる撮影装置を提供することを目的とする。
【課題を解決するための手段】
【００１７】
上記目的を達成するために、本発明の一の態様は、撮影モードを切り替えられるカメラモジュールと、カメラモジュールに対して所定の位置に移動されることによって撮影モードを切り替える切り替え部材と、撮影装置に脱着可能に設けられ、かつ所定の位置に移動された切り替え部材と係合可能に設けられた脱着部品と、を備える撮影装置にかかる。この態様において、切り替え部材は、所定の位置から所定の位置とは異なる位置へ移動可能に設けられており、切り替え部材が所定の位置とは異なる位置にある場合に脱着部品との係合が解除されるように形成されている。
【発明の効果】
【００１８】
本発明の撮影装置によれば、１つの操作部で、脱着部品の撮影装置への固定状態と、カメラモジュールの撮影モードと、を切り替えることができる。
【図面の簡単な説明】
【００１９】
【図１】本発明の実施形態における携帯端末機器の正面図である。
【図２】携帯端末機器の内部構造を示す正面図である。
【図３】操作レバー、カメラレンズおよび脱着部品を通る線（図１（ｂ）に示すＢ−Ｂ線）で切断したときの断面図である。
【図４】切り替え部材の位置における、カメラモジュールの撮影モードと脱着部品の携帯端末機器への固定状態とを説明するための図である。
【図５】従来における、１つの操作部でカメラモジュールの撮影モードとレンズカバーの位置とを切り替えることができる携帯端末機器の斜視図である。
【発明を実施するための形態】
【００２０】
以下、本発明の実施形態における撮影装置について、図面に基づいて詳細に説明する。なお、本実施形態の説明では、カメラモジュールを備えた携帯端末機器の例で説明するが、撮影機能のみを有する撮影装置にも適用することができる。
【００２１】
図１（ａ）は、本発明の実施形態における携帯端末機器の正面図である。図１（ａ）に示すように、携帯端末機器１は、撮影モードを切り替えられるカメラモジュール２と、携帯端末機器１に脱着可能に設けられた脱着部品５と、を備えている。本例では脱着部品５として、電池蓋や電池等を例示するが、本発明はこれらに限られない。
【００２２】
カメラモジュール２は携帯端末機器１の内部に固定されており、カメラモジュール２に設けられたカメラレンズ４が携帯端末機器１の外側に露出されている。
【００２３】
図１（ｂ）は、図１（ａ）に示す携帯端末機器１のカメラレンズ４の付近（図１（ａ）に示すＡ部）を拡大したときの正面図である。図１（ｂ）に示すように、携帯端末機器１には、ユーザーが操作するための操作レバー６が設けられている。操作レバー６は、携帯端末機器１の内部から外側に向かって突出している。
【００２４】
また、携帯端末機器１には、操作レバー６が挿通された開口部７が設けられている。開口部７は操作レバー６の可動範囲に形成されている。
【００２５】
図２は、図１（ｂ）に示す携帯端末機器１の筐体を外した状態の正面図、すなわち携帯端末機器１の内部構造を示す正面図である。図２に示すように、携帯端末機器１は、カメラモジュール２の撮影モードを切り替える切り替え部材８を備えている。
【００２６】
切り替え部材８は、カメラモジュール２に対して所定の方向に移動可能に設けられており、切り替え部材８が所定の位置に移動することによってカメラモジュール２の撮影モードが切り替えられる。また、切り替え部材８は、撮影モードを切り替える所定の位置以外の位置にも移動可能に設けられている。
【００２７】
例えば、切り替え部材８が第一の位置に移動した場合、撮影モードは第一モードとされ、切り替え部材８が第二の位置に移動した場合、撮影モードは第二モードとされる。切り替え部材８が第一および第二の位置と異なる位置に移動した場合の、カメラモジュール２の動作は指定されていない。すなわち、カメラモジュール２の撮影モードが第一モードまたは第二モードに設定されてもよいし、カメラモジュール２の動作が停止してもよい。
【００２８】
なお、本実施形態では、カメラモジュール２は２つの撮影モードに切り替えられるものとしているが、３つ以上の撮影モードに切り替えられるカメラモジュールであっても本発明を適用可能である。
【００２９】
図３は、図１（ｂ）に示す携帯端末機器１を、操作レバー６、カメラレンズ４および脱着部品５を通る線（図１（ｂ）に示すＢ−Ｂ線）で切断したときの断面図である。図３に示すように、切り替え部材８は、操作レバー６と結合しており、操作レバー６の移動に連動して切り替え部材８が移動する。
【００３０】
また、脱着部品５は、切り替え部材８の位置によって切り替え部材８と係合することができる係合部９を備えている。すなわち、脱着部品５は切り替え部材８と係合可能に形成されている。脱着部品５と切り替え部材８とが係合することによって、脱着部品５が携帯端末機器１に固定される。
【００３１】
ここで、切り替え部材８の位置における、カメラモジュール２の撮影モードと脱着部品５の携帯端末機器１への固定状態と、の関係について、図４を用いて説明する。図４は、切り替え部材８の位置における、カメラモジュール２の撮影モードと脱着部品５の携帯端末機器１への固定状態とを説明するための図である。
【００３２】
図４（ａ）は、切り替え部材８が第一の位置にある場合の図である。図４（ａ）に示すように、この場合、切り替え部材８は脱着部品５と係合しており、脱着部品５は携帯端末機器１に固定されている。また、切り替え部材８が第一の位置にあるため、カメラモジュール２は第一モードに設定されている。
【００３３】
図４（ｂ）は、切り替え部材８が第二の位置にある場合の図である。図４（ｂ）に示すように、この場合、切り替え部材８は脱着部品５と係合しており、脱着部品５は携帯端末機器１に固定されている。また、切り替え部材８が第二の位置にあるため、カメラモジュール２は第二モードに設定されている。
【００３４】
図４（ｃ）は、切り替え部材８が第一および第二の位置とは異なる第三の位置にある場合の図である。図４（ｃ）に示すように、この場合、切り替え部材８と脱着部品５との係合が解除されているため、脱着部品５は携帯端末機器１に固定されていない。したがって、脱着部品５を容易に携帯端末機器１から取り外すことができる。
【００３５】
また、切り替え部材８が第一および第二の位置と異なる位置にあるため、カメラモジュール２の動作は指定されていない。
【００３６】
このように、切り替え部材８は、カメラモジュール２の撮影モードを設定する第一および第二の位置では脱着部品５と係合するように形成されている。また、切り替え部材８は、第一および第二の位置とは異なる第三の位置では、脱着部品５と係合しないように形成されている。
【００３７】
本発明における携帯端末機器では、切り替え部材８が第一および第二の位置に移動することによってカメラモジュール２の撮影モードが切り替えられ、かつ切り替え部材８が第三の位置に移動することによって脱着部品５の固定が解除される。したがって、１つの操作部で、脱着部品５の固定状態と、カメラモジュールの撮影モードと、を切り替えることができる。
【００３８】
また、本実施形態では、図２に示すように、切り替え部材８はカメラレンズ４を中心とする円Ｃの周上に沿って形成された円弧形状を有しており、脱着部品５の係合部９が円Ｃの周上に設けられている。したがって、切り替え部材８が円Ｃの周上に沿って移動しても、切り替え部材８は係合部９と干渉することがない。すなわち、本実施形態では、切り替え部材８が円Ｃの周上に沿って移動するように切り替え部材８を設けることができる。
【００３９】
切り替え部材８が円Ｃの周上に沿って移動するため、切り替え部材に結合されている操作レバー６も、カメラモジュール２を中心とする円Ｃの周上を移動する。操作レバー６の可動範囲に沿って形成される開口部７（図１（ｂ））もカメラレンズ４を中心とする円周に沿って形成される。
【００４０】
すなわち、操作レバー６の可動範囲および開口部７をリング形状とすることができ、携帯端末機器１の外観品位を向上させることができる。
【００４１】
特に、カメラレンズ４は円形形状を有することが多い。円Ｃの中心と、カメラレンズ４の中心と、を一致させることによって、操作レバー６の可動範囲および開口部７をカメラレンズ４の外周に沿って設けることができる。その結果、操作レバー６の可動範囲および開口部７と、カメラレンズ４と、の一体感が表現され、携帯端末機器１の外観品位をより向上させることが可能となる。
【符号の説明】
【００４２】
１      携帯端末機器
２      カメラモジュール
３      レンズカバー
４      カメラレンズ
５      脱着部品
６      操作レバー
７      開口部
８      切り替え部材
９      係合部
【図１】
2012078549.tif 000003
【図２】
2012078549.tif 000004
【図３】
2012078549.tif 000005
【図４】
2012078549.tif 000006
【図５】
2012078549.tif 000007